(57)【要約】  本発明は、２つの正面（１，１’）、および該正面の間にＶ字形に挿入された側面ガセット（２）、および該バッグの頭部側開口部における２つのプロファイルストリップ（４，４’）とスライダ（５）とからなる再密封可能な密閉部（３）を有するフィルムバッグに関する。該バッグの重なり合っているフィルム層は、底部側において、および側面ガセット（２）の端部に沿って、横方向密封シームと長手方向密封シームとに接合されており、また、該側面ガセットに沿って走る長手方向密封シーム（６）が、該バッグの底部から上端（７）にまで延びている。前記スライダ（５）を具備する再密封可能な密閉部（３）が、バッグ上端（７）からは間隔を置いて該バッグ内部に配置されている。該バッグの少なくとも一方の正面（Ｖ）は、該スライダ（５）の寸法に合ったスライダ打ち抜き部（８）を含んでおり、該バッグの使用開始前に、該打ち抜き部内にスライダ（５）が持設されている。また、本発明の対象には、上述のフィルムバッグを製造するための方法が含まれている。
2008540278.tif 000002
【特許請求の範囲】
【請求項１】
フィルムバッグであって、
２つの正面（１，１’）、および、
該正面（１，１’）の間にＶ字形に挿入された側面ガセット（２）、および、
該バッグの頭部側開口部における２つのプロファイルストリップ（４，４’）と、該プロファイルストリップ（４，４’）を結合するスライダ（５）とからなる再密封可能な密閉部（３）
を有し、
その際、一方のプロファイルストリップ（４）が一方の正面（１）に接合されており、もう一方のプロファイルストリップ（４’）を、該バッグに充填物を充填した後、もう一方の正面（１’）に接合することが可能であり、その際、該バッグの重なり合っているこれらのフィルム層が、底部側において、および側面ガセット（２）に沿って、横方向密封シームと長手方向密封シームとに接合されており、また、該側面ガセット（２）の端部に沿って走る長手方向密封シーム（６）が、該バッグの底部から上端（７）にまで延びているフィルムバッグにおいて、
前記スライダ（５）を具備する再密封可能な密閉部（３）が、バッグ上端（７）からは間隔を置いて該バッグ内部に配置されていること、および、該バッグの少なくとも一方の正面（１’）が、該スライダ（５）の寸法に合ったスライダ打ち抜き部（８）を含んでおり、該バッグの使用開始前に、該打ち抜き部内にスライダ（５）が持設されていることを特徴とするフィルムバッグ。
【請求項２】
前記正面（１，１’）が、該バッグの上端において、再密封可能な密閉部（３）を覆うストリップ状部分（９）を有し、該ストリップ状部分を、前記スライダ（５）の高さにまたは該スライダの下側に設けられたミシン線（１０）に沿って破り取ることができることを特徴とする請求項１に記載のフィルムバッグ。
【請求項３】
前記ミシン線（１０）の終端部に打ち抜き線（１１）が続いており、該打ち抜き線が、長手方向密封シーム（６）を通って該バッグの外縁にまで延びていることを特徴とする請求項２に記載のフィルムバッグ。
【請求項４】
前記側面ガセット（２）が、前記ミシン線（１０）よりも下側で終わっていることを特徴とする請求項２または３に記載のフィルムバッグ。
【請求項５】
バッグへの充填前に前記正面（１）に接合されたプロファイルストリップ（４）が、その全長にわたってただ該正面（１）にのみ接合されており、かつ前記側面ガセット（２）の領域内にまで延びていることを特徴とする請求項１から４のいずれか１項に記載のフィルムバッグ。
【請求項６】
バッグへの充填前に前記正面（１）に接合されたプロファイルストリップ（４）が、前記側面ガセット（２）の上に重ねられ、該側面ガセットに接合されていることを特徴とする請求項１から４のいずれか１項に記載のフィルムバッグ。
【請求項７】
ａ）平らなフィルムウェブ（１３）にスライダ打ち抜き部（８）が欠設されるステップ、
ｂ）２つの重なり合い、互いに接合されたプロファイルストリップ（４，４’）と、該プロファイルストリップ（４，４’）の密閉部縁端に跨座式に係合するスライダ（５）とからなる再密封可能な密閉部（３）が、ウェブ方向に対して横方向に、平らなフィルムウェブ（１３）上に置かれ、その際、前記スライダ（５）が前記スライダ打ち抜き部（８）内に位置するように該再密封可能な密閉部は置かれ、該再密封可能な密閉部の終端部がフィルムウェブ（１３）に接合されるステップ、
ｃ）次に、フィルムウェブ（１３）が折り畳みステーション（１４）の中を案内され、該折り畳みステーションでフィルムウェブ（１３）が折り込まれ、側面ガセット（２）が形成されるステップ、
ｄ）フィルムウェブの重なり合っているフィルム層が、密封シーム（６，１６，１６’）によって接合され、その際、横方向密封シーム（１６，１６’）によって、ウェブ方向に対して横方向にバッグの底部が形成され、前記再密封可能な密閉部（３）がバッグの一方の正面（１）に接合され、かつ、側面ガセット（２）に沿ってバッグの底部から上端（７）まで延びる長手方向密封シーム（６）がウェブ長手方向に設けられるステップ、
ｅ）ステップｄ）において形成された一続きのバッグ（１７）から、各バッグが切り離されるステップ、
以上のステップを具備する、請求項１から６のいずれか１項に記載のフィルムバッグを製造するための方法。
【請求項８】
前記側面ガセット（２）を形成する部分である平らなフィルムウェブ（１３）の区域（１８）に、窓状の開口（１９）が打ち抜かれ、該窓状の開口がバッグ側面ガセット（２）の上端を画定する請求項７に記載の方法。
【請求項９】
平らなフィルムウェブ（１３）に、ウェブ長手方向に対して横方向にミシン線（１０）が打ち抜かれ、該ミシン線が、前記窓状の開口（１９）の高さに配置されて、一続きのバッグ（１７）にそれぞれストリップ状部分（９）を画成し、該ストリップ状部分が、前記再密封可能な密閉部（３）のスライダ（５）を越えて隣の袋の底部密封シーム（１６’）にまで張り出しており、その際、該ミシン線はウェブ幅全体にわたって延びているが、ただし、ミシン目の終端と窓状の開口（１９）との間にそれぞれ５ｍｍから５０ｍｍ幅の、ミシン目がないフィルム領域（２０）が残っている請求項８に記載の方法。
【請求項１０】
前記長手方向シーム（６）に、前記ミシン線（１０）につながる打ち抜きカット部（１１）が欠設される請求項９に記載の方法。
【発明の詳細な説明】
【技術分野】
【０００１】
本発明は、フィルムバッグであって、
２つの正面、および、
該正面の間にＶ字形に挿入された側面ガセット、および、
頭部側開口部における２つのプロファイルストリップと、該プロファイルストリップを結合するスライダとからなる再密封可能な密閉部
を有し、
その際、一方のプロファイルストリップが一方の正面に接合されており、もう一方のプロファイルストリップを、該バッグに充填物を充填した後、もう一方の正面に接合することが可能であり、その際、該バッグの重なり合っているこれらのフィルム層が、底部側において、および側面ガセットの端部に沿って、横方向密封シームと長手方向密封シームとに接合されており、また、側面ガセットに沿って走る長手方向密封シームが、該バッグの底部から上端にまで延びているフィルムバッグに関する。充填はバッグの頭部から行われる。充填物は、フィルムバッグの再密封可能な密閉部と正面との間のまだ閉じられていない開口へ入れられ、その後、この開口は、密封シームによって閉じられる。前記特徴を有するフィルムバッグは、とりわけ動物飼料の包装に利用される。
【背景技術】
【０００２】
前記特徴を有するフィルムバッグは、特許文献１によって知られている。再密封可能な密閉部のスライダは、プロファイルストリップの密閉部の縁部に跨座式に係合し、バッグの上側に突き出ている。プロファイルストリップは、スライダ側に位置している自らの端部で互いに接合されており、該バッグの最初の使用時に破り開くことができる独創的な密閉部となっている。これの短所としては、この独創的な密閉部がまだ破られていないのかどうかを外部から直接知ることができないという点がある。さらに、突き出たスライダが、バッグの運搬時または商取引での取り扱い時に障害物に引っ掛かり、正常に移送できなくなる恐れがある。また、このフィルムバッグの製造には、コストがかかる。バッグ製造に続いて、その後に続く設備部分で再密封可能な密閉部が取り付けられる。そのために、既に作製されたフィルムバッグの頭部領域において、フィルムの一部が開かれ、再密封可能な密閉部を、その下に位置するフィルムウェブに載せ、それに接合される。その後、開かれたフィルム部分は、折り戻され、密封シームを施さなければならない。再密封可能な密閉部を取り付けるために、既存のフィルムバッグ製造設備に、再密封可能な密閉部を取り付けるための設備を追加して拡張しなければならない。再密封可能な密閉部を取り付けるためのこの設備は、コストを要し、かなりのスペースを必要とする。従ってまた、再密封可能な密閉部の取り付けを、通常のバッグ製造工程に組み込む必要がある。
【特許文献１】独国実用新案第２０２０７３３３号明細書
【発明の開示】
【発明が解決しようとする課題】
【０００３】
このような背景から、本発明の課題は、覆われて配置された再密封可能な密閉部を有し、容易に製造できるフィルムバッグを提示することである。さらに、再密封可能な密閉部の取り付けが、バッグ成形の前に、平らなフィルムウェブの連続的な供給中に行われる方法を提示する。
【課題を解決するための手段】
【０００４】
この課題は、本発明では、冒頭に述べた特徴を有するフィルムバッグを前提に、以下の方法によって解決される。すなわち、スライダを具備する再密封可能な密閉部が、バッグ上端からは間隔を置いてバッグ内部に配置されていること、および、バッグの少なくとも１つの正面が、スライダの寸法に合ったスライダ打ち抜き部を含んでおり、バッグの使用開始前に、該打ち抜き部内にスライダが持設されていることによって解決される。本発明では、再密封可能な密閉部は、フィルムバッグの頭部領域に覆われて配置されており、その際、スライダは、スライダ打ち抜き部を通して見える状態であり続ける。従って、使用者は、バッグにスライダ密閉部が設けられており、スライダ密閉部が適切に閉じられていることを外部から即座に認識することができる。さらに、スライダ打ち抜き部は、フィルムバッグ製造時に重要な機能を果たす。スライダ打ち抜き部は、スライダの大きさに合わされ、スライダを包含しており、このスライダ打ち抜き部が、フィルムウェブが折り畳みステーションを通過する前に、再密封可能な密閉部を平らなフィルムウェブ上に取り付けることを可能にする。折り畳みステーションでは、フィルムウェブが折り曲げられ、側面ガセットが形成される。スライダ打ち抜き部は、スライダ位置に正確に配置されており、折り畳みステーションの案内板上をウェブが流れる際に、再密封可能な密閉部がフィルムの流れ方向に対して位置がずれることを防ぐ。
【０００５】
フィルムバッグの正面は、バッグの上端に、再密封可能な密閉部を覆うストリップ状部分を有し、該部分を、本発明の好ましい１つの実施形態では、ほぼスライダの高さにまたはスライダの下側に設けられたミシン線に沿って破り取ることができる。ミシン線の両終端部には、好都合には、打ち抜き線が続いており、この打ち抜き線は、長手方向密封シームを通ってバッグの外縁にまで延びている。このストリップは、本構成の場合、フィルムバッグが最初に使用されるときに、切り取りストリップとして、完全に、かつ簡単な方法でフィルムバッグから取り除くことができる。ストリップの切り離しを容易にするために、側面ガセットがミシン線よりも下側で終わっていることが好都合である。
【０００６】
また、ミシン線に沿って破り取ることが可能なこの切り取りストリップは、二層のストリップの上端が、フィルムバッグへの充填の後、横方向密封シームで密封されるとき、独創的な密閉部の機能を果たす。フィルムバッグを初めて使用する際、上側のストリップは切り離されねばならず、その際、フィルムバッグの上端にある再密封可能な密閉部は、露出される。切り取りストリップの横方向密封シームが損傷されていないとき、フィルムバッグが事前に開けられていないことが保証されている。
【０００７】
バッグへの充填前に正面に接合されたこのプロファイルストリップが、その全長にわたって正面にのみ接合されており、側面ガセットの領域内まで延びていることも、本発明の範囲内に含まれている。この実施形態の場合、充填のためにバッグの上側を完全に開くことができる。また別の実施形態では、バッグへの充填前に正面に接合されたプロファイルストリップが、側面ガセットの上に重ねられ、側面ガセットに接合されていることが想定されている。この実施形態の場合、充填開口部は、幾分小さくなっている。
【０００８】
また、本発明の対象として、前記フィルムバッグの製造方法が含まれている。本発明に係るこの方法には、次のステップが含まれている。すなわち、
ａ）平らなフィルムウェブにスライダ打ち抜き部が欠設されるステップ、
ｂ）２つの重なり合い、互いに接合されたプロファイルストリップと、プロファイルストリップの密閉部縁端に跨座式に係合するスライダとからなる再密封可能な密閉部が、ウェブ方向に対して横方向に、平らなフィルムウェブ上に置かれ、その際、スライダがスライダ打ち抜き部内に位置するように該密閉部は置かれ、該密閉部の終端部がフィルムウェブに接合されるステップ、
ｃ）次に、フィルムウェブが折り畳みステーションの中を案内され、該折り畳みステーションでフィルムウェブが折り込まれ、側面ガセットが形成されるステップ、
ｄ）フィルムウェブの重なり合っているフィルム層が、密封シームによって接合され、その際、横方向密封シームによって、ウェブ方向に対して横方向にバッグの底部が形成され、再密封可能な密閉部がバッグの一方の正面に接合され、かつ、側面ガセットに沿ってバッグの底部から上端まで延びる長手方向密封シームがウェブ長手方向に設けられるステップ、
ｅ）ステップｄ）において形成された一続きのバッグから、各バッグが切り離されるステップ。
【０００９】
本発明の基礎となる考え方は、折り込みが行われ、側面ガセットが形成される折り畳みステーションをフィルムウェブが通過する前に、再密封可能な密閉部を平らなフィルムウェブに取り付けることである。再密封可能な密閉部の、本発明に係る取り付け工程は、既存のバッグ製造設備に組み込むことが可能である。本発明に係るこの方法は、バッグ製造設備に既存である打ち抜き装置および折り込み装置を利用する。ただし、その際、再密封可能な密閉部は、さしあたり、端部だけがフィルムウェブにつながれているので、設備内、特に折り込み装置内をフィルムウェブが移送される際に、再密封可能な密閉部の位置がずれる恐れがあるという技術上の問題を解決しなければならない。再密封可能な密閉部のプロファイルストリップとフィルムウェブとの間に、バッグの上端から充填できるように開口部が残っていなければならない。バッグへの充填後に初めて、この開口部は、プロファイルストリップをフィルムバッグの正面に溶着することによって閉じられる。前述の技術上の問題は、本発明では、ステップｂ）によって解決される。本発明においては、フィルムウェブ内にスライダ打ち抜き部が設けられ、このスライダ打ち抜き部は、精確にスライダの位置にあり、バッグ製造設備をウェブが通過する際、特に畳み込みステーションの案内板を通過する際に、再密封可能な密閉部およびスライダが、フィルムの走行方向に対して位置がずれるのを防止する。スライダは、付置されたスライダ打ち抜き部にいわば固定されている。スライダ打ち抜き部は、最も簡単な場合には、直径がスライダ形状寸法に合わされた丸い穴である。
【００１０】
本発明の好ましい１つの実施形態では、側面ガセットを形成するための、平らなフィルムウェブの領域に窓状の開口が打ち抜かれ、この開口が、バッグの側面ガセットの上端を画定する。さらに、好都合には、ウェブ長手方向に対して横方向に、平らなフィルムウェブにミシン線が打ち抜かれる。ミシン線は、窓状の開口の高さに配置されており、一続きのバッグにそれぞれストリップ状部分を画成する。この部分は、再密封可能な密閉部を越えて、隣のバッグの底部密封シームにまで達している。このストリップは、独創的な密閉部として利用できる。バッグを初めて使用する前に、このストリップは破り取られ、再密封可能な密閉部のスライダが露出される。折り込みを行い、側面ガセットを形成するための折り畳みステーションを通過する前に、前記窓状の開口もミシン線と同様、平らなフィルムウェブへ欠設される。その際、折り畳みステーションにおいて、成形工具がミシン目または打ち抜き部へかみ合い、フィルムウェブが工具に引っ掛かってしまった場合、フィルムウェブのミシン線および窓状の打ち抜き部が裂ける恐れがあるという技術上の問題が生じる。この問題は、ミシン線がほぼウェブ幅全体にわたって延びているが、ミシン目と窓状の開口との間にそれぞれ５ｍｍから５０ｍｍ幅の、ミシン目がないフィルム領域が残るという条件を伴うことによって、驚くほど簡単な方法で解決できる。フィルムウェブは、折り畳みステーションの中を案内されるが、その際、折り込み工具の縁部が、ミシン目と打ち抜き部との間にあるミシン目のないフィルム領域に接するように、フィルムウェブが案内される。フィルムウェブを折り込んでチューブ状のウェブにすることは、三角形の折り込み板を用いて行われる。窓状の打ち抜き部がこの三角形の折り込み板中央部の上を案内されるとき、打ち抜き部は、驚くべきことに折り込み板に引っ掛かることがない。
【００１１】
最後に、さらに長手方向密封シームに、ミシン線に隣接する打ち抜きカット部が設けられる。
【００１２】
以下で、本発明について、１つの実施例を示す図面を参照しながら説明する。
【発明を実施するための最良の形態】
【００１３】
図１に示されたフィルムバッグは、２つの正面１，１’と、この２つの正面の間にＶ字形に挿入された側面ガセット２と、バッグ頭部側の開口部における再密封可能な密閉部３とを有する。再密封可能な密閉部３は、２つのプロファイルストリップ４，４’と、該プロファイルストリップを結合するスライダ５とからなる。一方のプロファイルストリップ４は、正面１に接合されている。もう一方のプロファイルストリップ４’は、バッグへの充填後、もう一方の正面１’に接合することができる。バッグの重なり合っているフィルム層は、底部側において、および側面ガセット２の端部に沿って、横方向密封シームと長手方向密封シームとに接合されている。その際、側面ガセット２に沿って走る長手方向密封シーム６が、該バッグの底部から上端にまで延びている。スライダ５を具備する再密封可能な密閉部３は、バッグ上端７からは間隔を置いてバッグ内部に配置されている。バッグの一方の正面１’は、スライダ５の寸法に合ったスライダ打ち抜き部８を含んでおり、バッグの使用開始前に、スライダ５は該打ち抜き部内に持設されている。
【００１４】
正面１，１’は、バッグの上端に再密封可能な密閉部３を覆うストリップ状部分９を有し、該ストリップ状部分は、ほぼスライダ５の高さにまたはスライダの下側に設けられたミシン線１０に沿って破り取ることができる。ミシン線１０の両終端部には、打ち抜き線１１が続いており、この打ち抜き線は、長手方向密封シーム６を通ってバッグの外縁にまで延びている。側面ガセット２は、ミシン線１０よりも下側で終わっている。ストリップ状部分９は、ミシン線１０とそれに隣接する打ち抜き線１１とに沿って、フィルムバッグから切り離すことができる。その際、再密封可能な密閉部３が露出される。
【００１５】
図１に示されたフィルムバッグは、例えば、動物飼料の包装のために利用される。充填は、バッグの頭部から行われる。充填物は、フィルムバッグの再密封可能な密閉部３と一方の正面１’との間のまだ閉じられていない開口へ入れられる。その後、この開口は、密封シームによって閉じられる。さらに、独創的な密閉部として、初めて使用される際に破り取られるストリップ状部分９の上端は、密封される。密封は、横方向密封シーム１２によって行われ、この横方向密封シームがこれらのフィルム層を接合する。バッグ充填装置において、フィルムバッグの底部は、さらに折り込まれて、立て置き用の底部となる。図２は、充填された立て置き底部のバッグを示す。
【００１６】
図１に示された平たく置かれたフィルムバッグを製造する方法が、図３に概略的に示されている。平らなフィルムウェブ１３に、スライダ打ち抜き部８が欠設される。スライダ打ち抜き部８が設けられた平らなフィルムウェブ１３の上に、２つの重なり合い、互いに接合されたプロファイルストリップ４，４’と、プロファイルストリップ４，４’の密閉部縁端に跨座式に係合するスライダ５とからなる再密封可能な密閉部３が、ウェブ方向に対して横向きに置かれ、その際、スライダ５がスライダ打ち抜き部８内に位置するように平らなフィルムウェブ１３の上に該密閉部は置かれる。プロファイルストリップ４，４’は、端部のみがフィルムウェブ１３に接合される。次に、フィルムウェブ１３は折り畳みステーションを通過し、ここで、チューブ状に折り込まれ、側面ガセット２が形成される。密封ステーション１５において、フィルムウェブの重なり合っているフィルム層は、密封シーム６，１６，１６’によって接合される。その際、横方向密封シーム１６，１６’によって、ウェブ方向に対して横方向にバッグの底部が形成され、再密封可能な密閉部３がバッグの正面１に接合され、かつ、側部ガセット２に沿って、長手方向密封シーム６がウェブ長手方向に設けられる。該長手方向密封シームは、バッグの底部から上端７にまで延びている。このようにして、底部側あるいは頭部側の端部がつながっている複数のバッグからなる一続きのバッグ１７が生じる。この一続きのバッグ１７から、最終的に各バッグが切り離される。
【００１７】
特に図４から明らかなように、側面ガセット２を形成する部分である平らなフィルムウェブ１３の区域１８には、窓状の開口１９が打ち抜かれ、該開口は、バッグ側面ガセットの上端を画定する。さらに、平らなフィルムウェブ１３に、ウェブ長手方向に対して横方向にミシン線１０が打ち抜かれ、該ミシン線は、窓状の開口１９の高さに配置されており、一続きのバッグ１７にそれぞれ横方向ストリップあるいはストリップ状部分９を画成する。この横方向ストリップあるいはストリップ状部分は、再密封可能な密閉部３のスライダ５を越えて隣の袋の底部密封シーム１６にまで達している。その際、図４から分かるように、ミシン線１０はウェブ幅全体にわたって延びているが、ただし、ミシン目の終端と窓状の開口１９との間にそれぞれ５ｍｍから５０ｍｍ幅の、ミシン目がないフィルム領域２０が残っている。ミシン目と窓状の開口１９との間にある、ミシン目のないフィルム領域２０は、フィルムウェブ１３が、折り畳みステーション１４において裂けることを防止する。長手方向密封シーム６に、さらに、ミシン線１０につながる打ち抜きカット部あるいは打ち抜き線１１が欠設される。
【００１８】
図１に示された実施例では、バッグへの充填前に正面１に接合されたプロファイルストリップ４は、側面ガセット２の上に重ねられ、側面ガセットに接合されている。また、本発明の範囲には、バッグへの充填前に正面１に接合されたプロファイルストリップ４が、その全長にわたってただ正面１にのみ接合され、側面ガセット２の領域にまで延びている場合も含まれている。
【図面の簡単な説明】
【００１９】
【図１】平たく置かれたフィルムバッグを図式的に示す。
【図２】充填後の、図１に示されたフィルムバッグを示す。
【図３】図１に示された、平たく置かれたフィルムバッグを製造するための方法を示す。
【図４】折り畳みステーションおよび密封ステーションを通過する前の、本発明に従って設けられた打ち抜き部を有する平らなフィルムウェブを示す。
【図１】
2008540278.tif 000003
【図２】
2008540278.tif 000004
【図３】
2008540278.tif 000005
【図４】
2008540278.tif 000006
【国際調査報告】
2008540278.tif 000007
2008540278.tif 000008
2008540278.tif 000009
2008540278.tif 000010
2008540278.tif 000011
2008540278.tif 000012